(57)【特許請求の範囲】
【請求項１】
シートクッションの前部にオットマンを回動可能に連結し、該オットマンを電動駆動機構によって足載せ位置及び収納位置間で回動させるようにした電動オットマン装置において、前記オットマンは前記シートクッションの前部に回動自在に連結されたオットマン本体と、該オットマン本体に対して進退自在に配設された摺動体とで構成すると共に、前記オットマン本体を収納位置と足載せ位置間で回動駆動する電動回動駆動源と、該電動回動駆動源によって前記オットマン本体を収納位置から足載せ位置側に回動させた時に、前記摺動体をオットマン本体から前方側に突出させるリンク部材とを備え、前記リンク部材は、一端が前記シートクッション側に回動自在に配設された第１の回動リンクと、該第１の回動リンクの自由端に回動自在に連結された主リンクと、該主リンクの先端と前記摺動体との間に回動自在に配設された第２の回動リンクとを有すると共に、一端がオットマン本体の背面側に突出形成されたブラケットとを備え、該ブラケットの先端が前記主リンクの前記第２の回動リンクより第１の回動リンク側に寄った中間部に回動自在に連結され、前記オットマン本体を足載せ位置側に回動させた時に、前記主リンクとオットマン本体の背面側との間の隙間が狭くなるように設定されていることを特徴とする電動オットマン装置。
【請求項２】
前記第２の回動リンク及び前記摺動体との連結機構が、前記摺動体に固定された係合ピンと、前記第２の回動リンクに形成された前記係合ピンと摺動可能に係合する係合長孔とで構成され、前記オットマン本体と前記摺動体とで構成されるオットマン全体の幅が最大幅となった状態で、前記オットマンを床面と略平行となる所定の足載せ位置まで回動させるようになされていることを特徴とする請求項１に記載の電動オットマン装置。
【発明の詳細な説明】
【０００１】
【発明の属する技術分野】
本発明は、シートクッションの前部にオットマンを回動可能に設け、このオットマンを電動駆動機構で足載せ位置及び収納位置間で回動させるようにした電動オットマン装置に関する。
【０００２】
【従来の技術】
従来の電動オットマン装置としては、例えば特開平９−２０６１５７号公報に記載されたものがある。この従来例には、前後方向に延びるように配設されたスライダーの可動レールを電動駆動機構によって前後動させることによって平板状に形成され６本のリンク腕で構成されるリンク機構を動作させ、これによって足載せ台を収納姿勢と足載せ姿勢との間で姿勢変更可能に構成した椅子の足載せ台の姿勢変更装置が記載されている。
【０００３】
【発明が解決しようとする課題】
然し乍ら、前記従来の姿勢変更装置にあっては、足載せ台即ちオットマンを電動駆動機構によって収納姿勢と足載せ姿勢との間で姿勢変更が可能であるが、足載せ台とスライダーとの間を連結するリンク機構を６本の平板状のリンク腕を組合わせて構成されているので、構成が複雑となると共に足載せ台を足載せ姿勢とした時に足載せ台に連結された２つのリンク腕間に大きな隙間が生じることから指や被服を挟む可能性があり、これに対する対策を講じなければならず、コストが嵩むという未解決の課題がある。
【０００４】
また、特に車両に搭載する場合には、着座部の高さが比較的低く、この高さ内で足載せ台を収納しなければならないことから、足載せ台の幅を広くとることができないという未解決の課題もある。
【０００５】
そこで、本発明は、前記従来例の未解決の課題に着目してなされたものであり、オットマンによる足載せ幅を着座部の高さ位置より長くすることができる一方、リンク機構を簡略化して、オットマンの足載せ位置での隙間の発生を抑制するようにした電動オットマン装置を提供することを目的としている。
【０００６】
【課題を解決するための手段】
前記目的を達成するために、請求項１に係る電動オットマン装置は、シートクッションの前部にオットマンを回動可能に連結し、該オットマンを電動駆動機構によって足載せ位置及び収納位置間で回動させるようにした電動オットマン装置において、前記オットマンは前記シートクッションの前部に回動自在に連結されたオットマン本体と、該オットマン本体に対して進退自在に配設された摺動体とで構成すると共に、前記オットマン本体を収納位置と足載せ位置間で回動駆動する電動回動駆動源と、該電動回動駆動源によって前記オットマン本体を収納位置から足載せ位置側に回動させた時に、前記摺動体をオットマン本体から前方側に突出させるリンク部材とを備え、前記リンク部材は、一端が前記シートクッション側に回動自在に配設された第１の回動リンクと、該第１の回動リンクの自由端に回動自在に連結された主リンクと、該主リンクの先端と前記摺動体との間に回動自在に配設された第２の回動リンクとを有すると共に、一端がオットマン本体の背面側に突出形成されたブラケットとを備え、該ブラケットの先端が前記主リンクの前記第２の回動リンクより第１の回動リンク側に寄った中間部に回動自在に連結され、前記オットマン本体を足載せ位置側に回動させた時に、前記主リンクとオットマン本体の背面側との間の隙間が狭くなるように設定されていることを特徴とする。
【０００７】
この請求項１に係る電動オットマン装置においては、オットマン本体に摺動体が摺動可能に設けられ、この摺動体が収納位置でオットマン本体側に収縮することにより、シートクッションの前端側に確実に収納することができ、この状態から電動回動駆動源によってオットマン本体を足載せ位置に回動させることにより、リンク部材によって摺動体がオットマン本体より前方側に突出し、広い足載せ幅を確保することができ、リンク部材が第１の回動リンク、主リンク、第２の回動リンク及びブラケットで構成され、ブラケットがオットマン本体に突出形成されているので、その突出高さを小さく設定することにより、オットマン本体を足載せ位置に回動させた時にオットマン本体と主リンクとの間に発生する隙間を最小限に抑制することができる。
【０００８】
また、請求項２に係る電動オットマン装置は、請求項１に係る発明において、前記第２の回動リンク及び前記摺動体との連結機構が、前記摺動体に固定された係合ピンと、前記第２の回動リンクに形成された前記係合ピンと摺動可能に係合する係合長孔とで構成され、前記オットマン本体と前記摺動体とで構成されるオットマン全体の幅が最大幅となった状態で、前記オットマンを床面と略平行となる所定の足載せ位置まで回動させるようになされていることを特徴とする。
【０００９】
この請求項２に係る電動オットマン装置においては、第２の回動リンクに形成された前記係合ピンと摺動可能に係合する係合長孔の長さ分だけオットマン本体と摺動体との幅を一定に保ちながらのオットマン本体の回動範囲が拡がることになり、所定の位置から前方にオットマン本体が突出するのを押さえることができ、１つのリンク部材での回動可能範囲を拡大することができる。
【００１０】
【発明の実施の形態】
以下、本発明の実施の形態を図面に基づいて説明する。
図１乃至図６は本発明の実施の形態を示す概略構成図であり、図６中、１は車両の助手席のシートであって、シートクッション２とその後端側に例えば図示しないリクライニング機構によって傾斜可能なシートバック３と、シートクッション２の前端部に図６における実線図示の収納位置と一点鎖線図示の足載せ位置との間に回動可能に配設されたオットマン４とを備えている。
【００１１】
ここで、シートクッション２は、その内部に配設されたクッションフレーム５が車体の床面に配設された左右一対の前後方向に延長するシートスライド６に前端側でブラケット７に高さ調整用リンク機構８を介して支持され、後端側でブラケット９に回動自在に支持されている。
【００１２】
オットマン４は、図５に示すように、クッションフレーム５の前端部の左端側に前方に突出して固定された支持アーム１１Ａ及びクッションフレーム５の右側面の前端側に前方に突出して固定された支持アーム１１Ｂ間に回動自在に支持されたオットマン本体１３と、このオットマン本体１３に進退自在に配設された摺動体としての補助ユニット１４とで構成されている。
【００１３】
ここで、オットマン本体１３は、図５に示すように、支持アーム１１Ｂに固定されたベース部材１２に回転軸１２ａが挿通され、この回転軸１２ａにベース部材１２の背面側で回動円板（図示せず）が回動自在に配設され、この回動円板に連結された支持プレート部材１２ｂがオットマン本体１３の右側面に形成されたブラケット１２ｃに固定されている。
【００１４】
そして、ベース部材１２及び回動円板はこれらの対向面に夫々内歯が形成され、これら内歯内に複数個のピニオンを介して回転軸１２ａに固定されたサンギヤが配設されて、減速歯車としての遊星歯車が構成され、回転軸１２ａが更に支持アーム１１Ｂに固定された減速機付きの電動回動駆動源としての電動モータ１２ｍの回転軸に連結され、電動モータ１２ｍを例えば正転させることにより、回転軸１２ａが反時計方向に回転し、遊星歯車のピニオンが反時計方向に回転することにより、フリーとなる回動円板即ち支持プレート部材１２ｂが時計方向に回動してオットマン本体１３が時計方向に回動し、逆に電動モータ１２ｍを逆転させることにより、オットマン本体１３が反時計方向に回動する。尚、支持アーム１１Ｂ，ベース部材１２，回動円板，電動モータ１２ｍはカバー１５で覆われている。
【００１５】
また、オットマン本体１３は、図５に示すように、内側端面を開放したコ字状の３つのフレーム１６ａ〜１６ｃを下端部が開放するようにコ字状に連結した枠体１６と、この枠体１６を覆うクッション１７とで構成されている。
【００１６】
更に、補助ユニット１４は、オットマン本体１３の左右フレーム１６ａ，１６ｃ内に案内される方形の摺動枠体１８と、この摺動枠体１８を覆うクッション１９とで構成され、摺動枠体１８の左右枠部に夫々左右フレーム１６ａ，１６ｃの内周面に係合するコ字状ガイド部材２０が取付けられている。
【００１７】
一方、前述したクッションフレーム５の前端側フレーム５Ｆの内周面側には支持アーム１１Ａ及び１１Ｂの内側に夫々取付けられた支持ブラケット２１に第１の回動リンク２３が回動自在に連結されている。
【００１８】
そして、第１の回動リンク２３の自由端には、前上方に前上がりに直線的に延長する主リンク２４の一端が回動自在に取付けられている。
【００１９】
そして、主リンク２４の他端が前述した補助ユニット１４の摺動枠体１８の上面フレーム１８Ｕの内面側に固定された一対のブラケット２５に回動自在に連結されたオットマン本体１３が収納位置にある状態で摺動枠体１８と略平行となって垂下する第２の回動リンク２８に連結されている。
【００２０】
ここで、主リンク２４と第２の回動リンク２８とは、第２の回動リンク２８に下方に延長して形成された係合長孔２６内に主リンク２４に形成された係合ピン２７を摺動可能に係合させた関係で連結されている。
【００２１】
また、主リンク２４の中間部がオットマン本体１３が収納位置にある状態で、その左右フレーム１６ａ，１６ｃの内周面側における背面側に突出形成されたブラケット２９の先端に回動自在に連結されている。
【００２２】
ここで、ブラケット２９の突出長は、後述するようにオットマン４が足載せ位置に回動した時に主リンク２４とオットマン本体１３の背面側との間の隙間が手指等が入らない程度に狭くなるように設定されている。そして、第１の回動リンク２３，主リンク２４，第２の回動リンク２８及びブラケット２９でリンク部材が構成されている。
【００２３】
次に、前記実施の形態の動作を説明する。
今、図２に示すように、オットマン本体１３がシートクッション２の前端面に沿うように下方に延長する収納位置にあるものとし、この状態で、第１の回動リンク２３が右下方に延長する回動位置にあるものとする。
【００２４】
この収納位置では、補助ユニット１４は、摺動枠体１８がオットマン本体１３のフレーム１６内の奥まで入り込んで補助ユニット１４とオットマン本体１３とが密着されて、オットマン本体１３及び補助ユニット１４の幅が最短幅となり、シートクッション２の最低高さ未満となって、補助ユニット１４の下端が床面に対して僅かに離間している。
【００２５】
この収納位置で、電動モータ１２ｍを例えば正転駆動すると、前述したようにオットマン本体１３が図２で時計方向に回動を開始する。
【００２６】
このオットマン本体１３の時計方向の回動によって主リンク２４とオットマン本体１３のブラケット２９とのなす角度が略零である略平行な状態から角度が反時計方向に拡がることにより、主リンク２４の先端部に第２の回動リンク２８を介して連結された補助ユニット１４の摺動枠体１８がフレーム１６に対して前進し、これによって補助ユニット１４がオットマン本体１３から前方に突出することになり、オットマン本体１３及び補助ユニット１４で構成されるオットマン４全体の幅が拡大することになり、足載せ面積が増加する。
【００２７】
そして、図３に示すようにオットマン本体１３が水平状態に対して例えば１５°程度下方に傾斜した状態となると、補助ユニット１４の摺動枠体１８に形成されたガイド部材２０がオットマン本体１３の左右フレーム１６ａ，１６ｃ内に形成されたストッパ（図示せず）に当接することにより、オットマン４の幅が最大幅Ｌとなって、それ以上の移動が規制される。
【００２８】
この状態で、更に電動モータ１２ｍを回転駆動して、オットマン本体１３を時計方向に回動させると、図４に示すように、第２の回動リンク２８の係合ピン２７がブラケット２５の係合長孔２６に沿って前方側に摺動することにより、オットマン４の最大幅Ｌを維持したままオットマン本体１３の時計方向の回動を許容した足載せ位置となり、その足載せ位置が図示しないリミットスイッチ等の位置センサによって検出され、これによって電動モータ１２ｍの通電が停止されることにより、オットマン４の回動が停止されて、オットマン４が床面と略平行となる所定の足載せ位置に停止される。
【００２９】
このとき、図４に示すように、補助ユニット１４がオットマン本体１３に対して前方に突出してオットマン４としての足載せ面積が、収納位置でのオットマン本体１３と補助ユニット１４との和の面積に比較して大きく拡大されており、着座者のふくらはぎを支持することができ、着座者がリラックス姿勢をとることができる。また、図３に示す位置より図４に示す位置にオットマン本体１３が回動しても、この範囲では補助ユニット１４の前方側への突出量が変化することはなく、オットマン４の最大幅Ｌを維持する。
【００３０】
この足載せ位置から収納位置に復帰させるには、電動モータ１２ｍを逆転駆動することにより、オットマン本体１３が図１の一点鎖線図示の足載せ位置から反時計方向に回動すると共に、第１の回動リンク２３，主リンク２４，第２の回動リンク２８及びブラケット２９で構成されるリンク部材の作用によって、補助ユニット１４の摺動枠体１８がオットマン本体１３のフレーム１６内に徐々に挿入され、オットマン本体１３が図２に示す収納位置に達すると、補助ユニット１４がオットマン本体１３に接触した状態となり、オットマン４の幅が最小幅となることにより、床面との干渉を防止することができる。
【００３１】
このように、オットマン本体１３が収納位置に達すると、これが図示しない位置検出センサで検出されて、電動モータ１２ｍに対する通電が停止されて、その回転が停止される。
【００３２】
以上のように、前記実施の形態によると、電動モータ１２ｍを駆動してオットマン本体１３を回動させることにより、第１の回動リンク２３，主リンク２４，第２の回動リンク２８及びブラケット２９で構成されるリンク部材の作用によって、オットマン本体１３に対して補助ユニット１４を摺動されることができ、簡易なリンク機構でオットマン４の回動と幅拡張とを同時に行うことができる。
【００３３】
しかも、オットマン本体１３のブラケット２９の突出長が比較的短く設定されていることにより、オットマン４を足載せ位置に回動させた状態で、オットマン本体１３と主リンク２４との間の隙間を小さくすることができ、手指や被服の損傷を確実に防止することができる。
【００３４】
尚、前記実施の形態においては、第２の回動リンク２８に係合ピン２７を、ブラケット２５に係合長孔２６を形成した場合について説明したが、これに限定されるものではなく、第２の回動リンク２８に係合長孔２６を、ブラケット２５に係合ピン２７を設けるようにすることもでき、更には、主リンク２４と第２の回動リンク２８またはブラケット２９との連結部に係合ピン及び係合長孔２６を設けるようにしてもよい。
【００３５】
また、係合長孔２６を省略して、第２の回動リンク２８の係合ピン２７をブラケット２５に回動自在に取付けるようにすることもでき、この場合には、オットマン本体１３の回動範囲が狭まり、オットマン本体１３が水平状態まで回動することはできなくなるが、ふくらはぎを支持することは可能であり、オットマン４としての機能を発揮することができる。
【００３６】
更に、前記実施の形態においては、オットマン本体１３と補助ユニット１４とが互いのクッション同志が重なり合うように形成されている場合について説明したが、これに限定されるものではなく、オットマン本体１３と補助ユニット１４との間に摺動枠体１８を囲むように蛇腹等の覆いを設けるようにしてもよく、更には、補助ユニット１４をオットマン本体１３に入れ子式に配設して、補助ユニット１４を前進させたときにオットマン本体１３との間に大きな段差を生じないようにすることもできる。
【００３７】
【発明の効果】
以上説明したように、請求項１に係る電動オットマン装置によれば、オットマンはシートクッションの前部に回動自在に連結されたオットマン本体と、該オットマン本体に対して進退自在に配設された摺動体とで構成すると共に、前記オットマン本体を収納位置と足載せ位置間で回動駆動する電動回動駆動源と、該電動回動駆動源によって前記オットマン本体を収納位置から足載せ位置側に回動させた時に、前記摺動体をオットマン本体から前方側に突出させるリンク部材とを備え、前記リンク部材は、一端が前記シートクッション側に回動自在に配設された第１の回動リンクと、該第１の回動リンクの自由端に回動自在に連結された主リンクと、該主リンクの先端と前記摺動体との間に回動自在に配設された第２の回動リンクとを有すると共に、一端がオットマン本体の背面側に突出形成されたブラケットとを備え、該ブラケットの先端が前記主リンクの前記第２の回動リンクより第１の回動リンク側に寄った中間部に回動自在に連結され、前記オットマン本体を足載せ位置側に回動させた時に、前記主リンクとオットマン本体の背面側との間の隙間が狭くなるように設定されているので、前記摺動体が収納位置でオットマン本体側に収縮することにより、シートクッションの前端側に確実に収納することができ、この状態から電動回動駆動源によってオットマン本体を足載せ位置に回動させることにより、リンク部材の作用により摺動体がオットマン本体より前方側に突出することにより、広い足載せ幅を確保することができるので、１つの電動回動駆動源でオットマン本体の回動と摺動体の伸縮との双方を行うことができ、全体の構成を簡易化することができると共に、収納位置におけるオットマンの幅に対して足載せ位置でのオットマンの幅を広くすることができるので、着座者のふくらはぎを広範囲に保持することが可能となり、着座者をよりリラックスさせることができる。
また、リンク部材が第１の回動リンク，主リンク，第２の回動リンク及びブラケットで構成される簡易な構成とされ、ブラケットがオットマン本体に沿って配設することが可能であるので、オットマン本体とブラケットとの間に発生する隙間を最小限に抑制することができ、手指や被服の損傷を確実に防止することができる。
【００３８】
更に、請求項２に係る電動オットマン装置によれば、前記第２の回動リンク及び前記摺動体との連結機構が、前記摺動体に固定された係合ピンと、前記第２の回動リンクに形成された前記係合ピンと摺動可能に係合する係合長孔とで構成され、前記オットマン本体と前記摺動体とで構成されるオットマン全体の幅が最大幅となった状態で、前記オットマンを床面と略平行となる所定の足載せ位置まで回動させるようになされているので、係合長孔の長さ分だけオットマン本体と摺動体との幅を一定に保ちながらオットマン本体の回動範囲が広がることになり、所定の位置から前方にオットマン本体が突出するのを押さえることができ、１つのリンク部材での回動可能範囲を拡大することができ、着座者の要望に応じたオットマンの任意の傾斜角を得ることができる。
【図面の簡単な説明】
【図１】  本発明に係る電動オットマン装置の実施の形態の概略構成を示す側面図。
【図２】  本発明に係る電動オットマンが収納位置にある状態の側面図。
【図３】  本発明に係る電動オットマンが足載せ位置にある状態の側面図。
【図４】  本発明に係る電動オットマンが最大足載せ位置にある状態の側面図。
【図５】  本発明に係る電動オットマン装置の図１の分解斜視図。
【図６】  本発明に係る電動オットマン装置を適用したシートの側面図。
【符号の説明】
１      シート
２      シートクッション
３      シートバック
４      オットマン
１２ｍ  電動モータ
１３    オットマン本体
１４    補助ユニット（摺動体）
１６    フレーム
１８    摺動枠体
２３    第１の回動リンク
２４    主リンク
２５    ブラケット
２６    係合長孔
２７    係合ピン
２８    第２の回動リンク
２９    ブラケット
【図１】
0003993299.tif 000002
【図２】
0003993299.tif 000003
【図３】
0003993299.tif 000004
【図４】
0003993299.tif 000005
【図５】
0003993299.tif 000006
【図６】
0003993299.tif 000007